(57)【要約】【課題】フリッカによる合焦精度の低下と表示部への表示画像の劣化を防ぐことを可能にした撮像装置を提供する。【解決手段】画面内の領域ごとに駆動周波数を変更可能な撮像素子と、撮像素子の画面を分割する複数の領域を指定する指定手段と、複数の領域に対して駆動周波数を設定する設定手段と、複数の領域を設定手段により設定された駆動周波数で駆動した場合に、複数の領域のなかでフリッカの影響による露光ムラが発生している領域を検出する検出手段と、検出手段により露光ムラが検出された場合に、露光ムラが検出された領域の駆動周波数を、露光ムラを低減するように変更する変更手段と、露光ムラを低減するように変更された駆動周波数で駆動して得られた複数の領域の画像を表示する表示手段とを備える。【選択図】  図２
2020145624.tif 000002
【特許請求の範囲】
【請求項１】
画面内の領域ごとに駆動周波数を変更可能な撮像素子と、
前記撮像素子の画面を分割する複数の領域を指定する指定手段と、
前記複数の領域に対して駆動周波数を設定する設定手段と、
前記複数の領域を前記設定手段により設定された駆動周波数で駆動した場合に、前記複数の領域のなかでフリッカの影響による露光ムラが発生している領域を検出する検出手段と、
前記検出手段により露光ムラが検出された場合に、露光ムラが検出された領域の駆動周波数を、露光ムラを低減するように変更する変更手段と、
前記露光ムラを低減するように変更された駆動周波数で駆動して得られた前記複数の領域の画像を表示する表示手段と、
を備えることを特徴とする撮像装置。
【請求項２】
前記変更手段は、露光ムラが検出された領域の駆動周波数を、該駆動周波数の周期が前記フリッカの周期の整数倍となるように変更することを特徴とする請求項１に記載の撮像装置。
【請求項３】
前記変更手段により駆動周波数を変更された領域の露出条件を、その他の領域の露出条件と同等となるように制御する露出制御手段をさらに備えることを特徴とする請求項１または２に記載の撮像装置。
【請求項４】
前記露出制御手段は、前記駆動周波数を変更された領域の露出条件を、その他の領域の露出条件と同等となるように、領域ごとの感度を制御することを特徴とする請求項３に記載の撮像装置。
【請求項５】
前記指定手段は、前記画面を、焦点検出領域を含む領域と、その他の領域に自動的に分割することを特徴とする請求項１乃至４のいずれか１項に記載の撮像装置。
【請求項６】
前記設定手段は、前記焦点検出領域を含む領域の駆動周波数を、前記その他の領域の駆動周波数に対して高く設定することを特徴とする請求項５に記載の撮像装置。
【請求項７】
前記焦点検出領域を含む領域の感度を、前記駆動周波数を高くした量に応じた量だけ増加させる感度調整手段をさらに備えることを特徴とする請求項６に記載の撮像装置。
【請求項８】
前記指定手段は、ユーザーの操作により、前記画面を複数の領域に分割することを特徴とする請求項１乃至４のいずれか１項に記載の撮像装置。
【請求項９】
前記表示手段は、前記複数の領域の画像を同時に表示することを特徴とする請求項１乃至８のいずれか１項に記載の撮像装置。
【請求項１０】
前記複数の領域の画像を前記表示手段に表示するか否かを設定する表示設定手段をさらに備えることを特徴とする請求項１乃至８のいずれか１項に記載の撮像装置。
【請求項１１】
画面内の領域ごとに駆動周波数を変更可能な撮像素子を備える撮像装置を制御する方法であって、
前記撮像素子の画面を分割する複数の領域を指定する指定工程と、
前記複数の領域に対して駆動周波数を設定する設定工程と、
前記複数の領域を前記設定工程において設定された駆動周波数で駆動した場合に、前記複数の領域のなかでフリッカの影響による露光ムラが発生している領域を検出する検出工程と、
前記検出工程において露光ムラが検出された場合に、露光ムラが検出された領域の駆動周波数を、露光ムラを低減するように変更する変更工程と、
前記露光ムラを低減するように変更された駆動周波数で駆動して得られた前記複数の領域の画像を表示する表示工程と、
を有することを特徴とする撮像装置の制御方法。
【請求項１２】
請求項１１に記載の制御方法の各工程をコンピュータに実行させるためのプログラム。
【請求項１３】
請求項１１に記載の制御方法の各工程をコンピュータに実行させるためのプログラムを記憶したコンピュータが読み取り可能な記憶媒体。
【発明の詳細な説明】
【技術分野】
【０００１】
本発明は、デジタルカメラなどの撮像装置における、焦点検出精度の向上と表示部の見栄えの向上とを実現する技術に関するものである。
【背景技術】
【０００２】
従来、デジタルカメラなどの撮像装置では、被写体の静止画（または動画）の撮影を行う前に、オートフォーカス機能を利用して焦点位置の調整を行い表示部に表示している。これにより、撮影される静止画（または動画）の状態を事前に確認することが可能である。
【０００３】
このような処理において、ライブビュー動作などで表示部に表示される動画像は、処理の負荷を低減するために、比較的低いフレームレート（例えば３０ｆｐｓ）で処理することが望ましいとされている。一方、オートフォーカスの処理を行う際は、応答性や焦点検出精度の向上のためにも、高フレームレート（例えば２４０ｆｐｓ）で処理することが望ましいとされている。
【０００４】
そこで、一般的には、撮影前の動画像は低フレームレートで表示部に表示し、ユーザーによって合焦動作が指示されると高フレームレートに切り替える手法が用いられている。しかし、この場合、フレームレートを切り替える際に、不要な時間が発生し、操作性が低下する恐れがある。
【０００５】
このような不要な時間を短縮する方法として、特許文献１では、撮像素子から複数種類のフレームレートで同時に画像を読みだすことにより、ユーザーの操作による撮影指示から静止画撮影が開始されるまでの操作性を向上させる技術が開示されている。
【０００６】
また、上記処理を蛍光灯などの人工光源下で行う場合、高フレームレートでは画面内に横縞状の明暗変化（ラインフリッカ）が生じ、ライン毎の焦点検出結果が変動してしまう。その結果、オートフォーカスの合焦精度に悪影響を与える場合がある。また、表示部に表示する動画像にラインフリッカが生じてしまい、見栄えが悪化する場合がある。
【０００７】
このようなフリッカによる合焦精度の悪化や表示部の見栄えの悪化を防ぐ方法として、特許文献２には、画素ライン毎に焦点検出用と表示用に用途を分け、複数種類のフレームレートで画像を読み出し、各用途で独立した処理を行う技術が開示されている。これにより、合焦精度の向上と表示部の見栄えの悪化の抑制を図っている。
【先行技術文献】
【特許文献】
【０００８】
【特許文献１】特許第５８６２１２６号公報
【特許文献２】特開２０１５−１０８７７８号公報
【発明の概要】
【発明が解決しようとする課題】
【０００９】
しかしながら、上記の特許文献１に開示された技術では、すでに述べたように、フリッカ光源下で複数種類のフレームレートで同時に信号を読み出す際に、高フレームレートでの処理ではラインフリッカが発生する恐れがある。そのため、フレームレートの違いによってオートフォーカスの焦点検出結果や、撮影した動画像に差が生じてしまう場合がある。
【００１０】
また、特許文献２に開示された技術では、画素ライン毎に用途を分けるため、表示用に使用される画像の画素数が少なくなり、全画素を用いて表示する場合に比べて解像度が低下する。
【００１１】
本発明は上述した課題に鑑みてなされたものであり、その目的は、フリッカによる合焦精度の低下と表示部への表示画像の劣化を防ぐことを可能にした撮像装置を提供することである。
【課題を解決するための手段】
【００１２】
本発明に係わる撮像装置は、画面内の領域ごとに駆動周波数を変更可能な撮像素子と、前記撮像素子の画面を分割する複数の領域を指定する指定手段と、前記複数の領域に対して駆動周波数を設定する設定手段と、前記複数の領域を前記設定手段により設定された駆動周波数で駆動した場合に、前記複数の領域のなかでフリッカの影響による露光ムラが発生している領域を検出する検出手段と、前記検出手段により露光ムラが検出された場合に、露光ムラが検出された領域の駆動周波数を、露光ムラを低減するように変更する変更手段と、前記露光ムラを低減するように変更された駆動周波数で駆動して得られた前記複数の領域の画像を表示する表示手段と、を備えることを特徴とする。
【発明の効果】
【００１３】
本発明によれば、フリッカによる合焦精度の低下と表示部への表示画像の劣化を防ぐことを可能にした撮像装置を提供することができる。
【図面の簡単な説明】
【００１４】
【図１】本発明の撮像装置の第１の実施形態であるデジタルカメラの構成を示すブロック図。
【図２】第１の実施形態のデジタルカメラの全体動作の流れを示すフローチャート。
【図３】第１の実施形態における撮像素子の駆動周波数を変更する領域設定方法を示す図。
【図４】第１の実施形態における駆動周波数を変更した領域に生じたフリッカ―と、フリッカ―周期を示す図。
【図５】第２の実施形態のデジタルカメラの動作の流れを示すフローチャート。
【図６】第２の実施形態における撮像素子の駆動周波数を変更する領域設定方法を示す図。
【発明を実施するための形態】
【００１５】
以下、添付図面を参照して実施形態を詳しく説明する。なお、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１６】
（第１の実施形態）
図１は、本発明の撮像装置の第１の実施形態であるデジタルカメラの構成を示すブロック図である。
【００１７】
図１において、本実施形態のデジタルカメラ１００は、カメラ本体１０１に、撮影レンズ１０２が交換可能に装着されて構成されている。
【００１８】
撮影レンズ１０２は、ズームレンズ１０３と、フォーカスレンズ１０４と、絞り１０５と、それらの駆動を制御するレンズ制御回路１０６とを備える。カメラ本体１０１と撮影レンズ１０２はマウント接点部１０７により電気的に接続されており、レンズ制御部１０６は、マウント接点部１０７を介してカメラ本体１０１からの情報を受信することができる。
【００１９】
カメラ本体１０１はシステム制御回路１０８を内蔵し、システム制御回路１０８はカメラ各部の制御を行う。電源１０９は、アルカリ電池などの一次電池、ＮｉＣｄ電池やＮｉＭＨ電池、Ｌｉイオン電池等の二次電池、ＡＣアダプタ等から構成され、システム制御回路１０８を介してカメラ各部に電力を供給する。
【００２０】
操作ＳＷ（操作スイッチ）１１０は各種のスイッチ群からなり、例えば不図示の、主電源スイッチ、レリーズスイッチ、再生スイッチ、ズームスイッチ、十字キー、ＳＥＴスイッチ等を含む。主電源スイッチは、カメラ本体１０１を起動させ、電源供給を行うためのスイッチである。レリーズスイッチは、二段スイッチにより構成され、第１ストローク（ＳＷ１）では、撮影動作に先立って行われるＡＥ処理、ＡＦ処理等の撮影準備動作を開始させる指示信号を発生する。そして第２ストローク（ＳＷ２）では、実際の撮影動作を開始させる指示信号を発生する。再生スイッチは再生動作を開始させ、ズームスイッチは撮影レンズ１０２のズームレンズ１０３を移動させズームを行わせる。十字キーは、ユーザーが選択操作の入力を行うために用いられ、ＳＥＴスイッチは各決定操作を入力するために用いられる。
【００２１】
シャッタ１１１は、撮影レンズ１０２と撮像素子１１２の間に配置され、シャッタ制御回路１１３によって、撮影レンズ１０２から入射した光の露光時間を制御するように駆動される。
【００２２】
撮像素子１１２は、撮影レンズ１０２から入射した光を電気信号へ変換し、アナログの画像信号を出力する。撮像素子１１２から出力された信号は、撮像回路１１４によって各種画像処理が施される。Ａ／Ｄ変換回路１１５では、撮像回路１１４によって処理されたアナログ画像信号がデジタル画像信号へと変換される。なお、撮像素子１１２は画面内の分割領域ごとに駆動周波数を変更可能であり、分割領域ごとの駆動周波数はシステム制御回路１０８により制御される。
【００２３】
メモリ１１６は、Ａ／Ｄ変換回路１１５から出力されるデジタル画像信号を一時的に記憶するバッファメモリ等のメモリである。Ｄ／Ａ変換回路１１７は、メモリ１１６に記憶された画像信号を読み出してアナログ信号に変換するとともに、再生表示に適する形態の画像信号に変換する。表示部１１８は液晶表示装置（ＬＣＤ）等からなり、Ｄ／Ａ変換回路１１７により変換された画像信号を表示する。圧縮／伸長回路１１９は、メモリ１１６に一時記憶された画像信号を読み出して圧縮処理や符号化処理を施し、記憶用メモリ１２０での記憶に適した形態の画像データに変換する。記憶用メモリ１２０は、圧縮／伸長回路１１９により処理された画像データを記憶する。また、圧縮／伸長回路１１９は、記憶用メモリ１２０に記憶された画像データを読み出して伸長処理や復号化処理を施し、再生表示のために最適な形態の画像データに変換する。
【００２４】
記憶用メモリ１２０としては、様々な形態の記憶手段を適用することができる。例えば、装置に対して着脱可能なカード形状やスティック形状を有するフラッシュメモリ等の半導体メモリの他、ハードディスクやフレキシブルディスク等の磁気記憶媒体であってもよい。   
ＡＥ処理回路（自動露出処理回路）１２１は、Ａ／Ｄ変換回路１１５から出力される画像信号を用いて自動露出（ＡＥ）処理を行う。この時の露出変更はシステム制御回路１０８により制御される。また、ＡＦ処理回路１２２は、Ａ／Ｄ変換回路１１５から出力される画像信号を用いてオートフォーカス（ＡＦ）処理を行う。
【００２５】
タイミングジェネレータ（以下、ＴＧ）１２３は所定のタイミング信号を発生する。センサードライバ１２４は、ＴＧ１２３からのタイミング信号に基づいて、撮像素子１１２を駆動する。   
ＥＥＰＲＯＭ１２５は、電気的に書き換え可能な読み出し専用メモリで、各種制御等を行うプログラムや各種動作を行わせるために使用するデータ等が予め記憶されている。ＲＡＭ１３０は、ＥＥＰＲＯＭ１２５に記憶されたプログラムを、システム制御回路１０８が実行できるように展開するために用いられる。また、システム制御回路１０８の作業領域としても用いられる。
【００２６】
フリッカ検出回路１２６は、Ａ／Ｄ変換回路１１５からの出力画像信号を受けて画面内の輝度変動からフリッカの有無を検出するとともに、検出したフリッカの発生周期を算出する。
【００２７】
次に、図２は、本実施形態のデジタルカメラ１００の全体動作の流れを示すフローチャートである。
【００２８】
Ｓ２０１では、ユーザーが操作ＳＷ１１０に含まれる主電源スイッチをＯＮにすることにより、カメラ各部に電力が供給される。
【００２９】
Ｓ２０２では、システム制御回路１０８は、シャッタ制御回路１１３に指示して、シャッタ１１１を開状態に移行させ、撮像素子１１２に撮影レンズ１０２を介した光を導く。Ｓ２０３では、システム制御回路１０８は、撮像素子１１２の露光を開始させる。
【００３０】
Ｓ２０４では、システム制御回路１０８は表示制御を行う。具体的には、撮影レンズ１０２から入射した光が撮像素子１１２により光電変換され、変換された電気信号に撮像回路１１４によって各種画像処理が施され画像信号が生成される。その後、Ａ／Ｄ変換回路１１５によってアナログ画像信号がデジタル画像信号へ変換され、メモリ１１６に一時的に記憶される。記憶されたデジタル画像信号は、Ｄ／Ａ変換回路１１７によって再度アナログ画像信号に変換され、表示部１１８に表示される。
【００３１】
なお、Ｓ２０３、Ｓ２０４は、後述する撮像素子１１２の駆動周波数を変更する領域分割を行う前の処理であるため、全画角を低周波数（例えば３０ｆｐｓ等）で駆動する。
【００３２】
Ｓ２０５では、システム制御回路１０８は、操作ＳＷ１１０に含まれるレリーズスイッチの第１ストロークが操作されたか否か（ＳＷ１がＯＮされたか否か）を判定する。ＳＷ１がＯＮされていればＳ２０６に進み、ＯＮされていなければそのまま待機する。
【００３３】
Ｓ２０６では、システム制御回路１０８は、後述する撮像素子１１２の駆動周波数を変更して制御する領域の有無と、領域の位置と範囲を判定する。駆動周波数を変更する領域がない場合はＳ２０７に進み、駆動周波数を変更する領域がある場合は、領域の位置と範囲を設定し、Ｓ２１４に進む。
【００３４】
ここで、駆動周波数を変更する領域の設定に関して、図３を用いて説明する。図３は、撮像素子１１２の駆動周波数を変更する領域設定例を示す図である。図３においては、表示部１１８と、現在ユーザーによって選択されている焦点検出領域１２７と、駆動周波数を変更する領域１２８と、操作ＳＷ１１０の十字キーおよびセットボタンが示されている。
【００３５】
撮像素子１１２の駆動周波数を変更する領域１２８は、図３（ａ）のように、焦点検出領域１２７を中心に自動的に設定してもよいし、図３（ｂ）のように、ユーザーが十字キーを操作して位置を指定してもよい。また、図３（ｃ）のように、表示部１１８にタッチパネル機能を設けて、ユーザーのタッチ操作により領域を指定してもよい。領域の設定方法は、これらの例に限定されず、種々の変形及び変更が可能である。
【００３６】
Ｓ２０７〜Ｓ２１３は、撮像素子１１２の駆動周波数を変更しない通常撮影のシーケンスである。
【００３７】
Ｓ２０７では、システム制御回路１０８は、ＡＥ処理回路１２１を用いて測光動作を行い、Ｓ２０８において、適正な露出になるように、輝度に関わる各露光パラメータ（例えば感度、絞り値）を変更し、表示部１１８の表示を更新する。
【００３８】
Ｓ２０９では、システム制御回路１０８は、ＡＦ処理回路１２２を用いてオートフォーカス動作を行い、合焦したと判定されると、Ｓ２１０に進む。
【００３９】
Ｓ２１０では、システム制御回路１０８は、操作ＳＷ１１０に含まれるレリーズスイッチの第２ストロークが操作されたか否か（ＳＷ２がＯＮされたか否か）を判定する。ＳＷ２がＯＮされていればＳ２１１に進み、ＯＮされていなければそのまま待機する。
【００４０】
Ｓ２１１では、システム制御回路１０８は、撮像素子１１２に静止画の撮影を行わせ、シャッタ１１１を閉状態に移行させる。
【００４１】
Ｓ２１２では、システム制御回路１０８は、撮像素子１１２に蓄積された電荷を読み出し、撮像回路１１４、Ａ／Ｄ変換回路１１５、メモリ１１６、圧縮／伸長回路１１９を介して処理されたデジタル画像信号を、記憶用メモリ１２０に保存する。
【００４２】
Ｓ２１３では、システム制御回路１０８は、記憶用メモリ１２０に保存した画像を表示部１１８に所定の時間表示させ、Ｓ２０２へ戻る。
【００４３】
Ｓ２１４〜Ｓ２２２は、撮像素子１１２の撮影領域を複数の領域に分割し、少なくとも１つの領域の駆動周波数を変更する制御を行う場合であって、且つフリッカ―光源の影響を受けない（例えば屋外等）場合の撮影シーケンスである。
【００４４】
Ｓ２１４では、システム制御回路１０８は、Ｓ２０６で分割された領域において、オートフォーカスの動作に使用する少なくとも１つの領域の駆動周波数を高周波側に変更する。ここでは一例として、オートフォーカスの動作用の領域の駆動周波数を１２０分の１秒（読み出しレートは１２０ｆｐｓ）、その他の領域の駆動周波数を３０分の１秒（読み出しレートは３０ｆｐｓ）とする場合について説明する。駆動周波数の変更が終了するとＳ２１５へ進む。
【００４５】
Ｓ２１５では、システム制御回路１０８は、ＡＥ処理回路１２１を用いて測光動作を行い、Ｓ２１６へ進む。
【００４６】
Ｓ２１６では、システム制御回路１０８は、フリッカ検出回路１２６を用いて、Ａ／Ｄ変換回路１１５からの出力のうち駆動周波数を変更した領域に対してフリッカの有無（フリッカに起因する露光ムラの有無）を判定する。具体的には、図４に示すような、駆動周波数変更後の領域内の輝度変動の有無に基づいてフリッカの有無を判定する。フリッカの発生がない場合はＳ２１７に進み、フリッカが発生していた場合は、フリッカの発生周期ｔを算出し、Ｓ２２３へ進む。
【００４７】
Ｓ２１７では、システム制御回路１０８は、Ｓ２１４で変更した駆動周波数の情報と、Ｓ２１５の測光動作によって得た輝度情報とに基づいて、駆動周波数を変更した領域が適正な露出（他の領域と同等の露出）になるように、輝度に関わる感度、絞り値などの各露光パラメータ（露出条件）を変更する。そして、表示部１１８の表示を更新する。一例として、Ｓ２１４ではオートフォーカス動作用の領域の駆動周波数を１２０分の１秒（読み出しレートは１２０ｆｐｓ）、その他の領域の駆動周波数を３０分の１秒（読み出しレートは３０ｆｐｓ）とした。そのため、オートフォーカス動作用の領域はその他の領域に対して、２段露出が低下している。そこで、オートフォーカス動作用の駆動周波数を変更した領域の感度を２段分高感度側へ変更する。露光パラメータの変更が終了するとＳ２１８へ進む。
【００４８】
Ｓ２１８では、システム制御回路１０８は、ＡＦ処理回路１２２を用いて、オートフォーカス動作を行い、合焦したと判定されると、Ｓ２１９に進む。
【００４９】
Ｓ２１９では、システム制御回路１０８は、操作ＳＷ１１０に含まれるレリーズスイッチの第２ストロークが操作されたか否か（ＳＷ２がＯＮされたか否か）を判定する。ＳＷ２がＯＮされていればＳ２２０に進み、ＯＮされていなければそのまま待機する。
【００５０】
Ｓ２２０では、システム制御回路１０８は、撮像素子１１２に静止画の撮影を行わせ、シャッタ１１１を閉状態に移行させる。
【００５１】
Ｓ２２１では、システム制御回路１０８は、撮像素子１１２に蓄積された電荷を読み出し、撮像回路１１４、Ａ／Ｄ変換回路１１５、メモリ１１６、圧縮／伸長回路１１９を介して処理されたデジタル画像信号を、記憶用メモリ１２０に保存する。
【００５２】
Ｓ２２２では、システム制御回路１０８は、記憶用メモリ１２０に保存した画像を表示部１１８に所定の時間表示させ、Ｓ２０２へ戻る。
【００５３】
Ｓ２２３〜Ｓ２３０は、撮像素子１１２の撮影領域を複数の領域に分割し、少なくとも１つの領域の駆動周波数を変更する制御を行う場合であって、且つフリッカ―光源の影響を受けている（例えば蛍光灯下）場合の撮影シーケンスである。
【００５４】
Ｓ２２３では、Ｓ２１４で変更した駆動周波数をフリッカの影響を受けない駆動周波数（駆動周波数の周期がフリッカの周期の整数倍となる周波数）に再度変更する。一例として、フリッカ周期が５０Ｈｚの場合は、オートフォーカス動作用の領域の駆動周波数を５０分の１秒（読み出しレートは５０ｆｐｓ）、その他の領域の駆動周波数を３０分の１秒（読み出しレートは３０ｆｐｓ）とする。駆動周波数の再変更が終了するとＳ２２４へ進む。
【００５５】
Ｓ２２４では、システム制御回路１０８は、ＡＥ処理回路１２１を用いて測光動作を行い、Ｓ２２５へ進む。
【００５６】
Ｓ２２５では、システム制御回路１０８は、Ｓ２２３で再変更した駆動周波数の情報と、Ｓ２２４の測光動作によって得た輝度情報とに基づいて、駆動周波数を変更した領域が適正な露出（他の領域と同等の露出）になるように、輝度に関わる感度、絞り値などの各露光パラメータ（露出条件）を変更する（露出制御）。そして、表示部１１８の表示を更新する。一例として、Ｓ２２３ではオートフォーカス動作用の領域の駆動周波数を５０分の１秒（読み出しレートは５０ｆｐｓ）、その他の領域の駆動周波数を３０分の１秒（読み出しレートは３０ｆｐｓ）とした。そのため、オートフォーカス動作用の領域はその他の領域に対して、約２／３段露出が低下している。そこで、オートフォーカス動作用の駆動周波数を変更した領域の感度を２／３段分高感度側へ（増加側へ）変更する（感度調整）。露光パラメータの変更が終了するとＳ２２６へ進む。
【００５７】
Ｓ２２６では、システム制御回路１０８は、ＡＦ処理回路１２２を用いて、オートフォーカス動作を行い、合焦したと判定されると、Ｓ２２７に進む。
【００５８】
Ｓ２２７では、システム制御回路１０８は、操作ＳＷ１１０に含まれるレリーズスイッチの第２ストロークが操作されたか否か（ＳＷ２がＯＮされたか否か）を判定する。ＳＷ２がＯＮされていればＳ２２８に進み、ＯＮされていなければそのまま待機する。
【００５９】
Ｓ２２８では、システム制御回路１０８は、撮像素子１１２に静止画の撮影を行わせ、シャッタ１１１を閉状態に移行させる。
【００６０】
Ｓ２２９では、システム制御回路１０８は、撮像素子１１２に蓄積された電荷を読み出し、撮像回路１１４、Ａ／Ｄ変換回路１１５、メモリ１１６、圧縮／伸長回路１１９を介して処理されたデジタル画像信号を、記憶用メモリ１２０に保存する。
【００６１】
Ｓ２３０では、システム制御回路１０８は、記憶用メモリ１２０に保存した画像を表示部１１８に所定の時間表示させ、Ｓ２０２へ戻る。
【００６２】
以上説明したように、本実施形態では、オートフォーカス動作用に撮像素子の一部の領域の駆動周波数を高くした場合でも、フリッカが検出された場合には、駆動周波数をさらに変更する。これにより、オートフォーカス動作用に撮像素子の一部の領域を高フレームレートで処理した場合であっても、フリッカによる合焦精度の低下と表示部への表示画像の劣化を防ぐことが可能となる。
【００６３】
なお、上記の説明では、撮像素子の画面内を２つの領域に分割する例について説明したが、本発明は２つの領域に限定されるものではなく、画面内を３つ以上の複数の領域に分割し、領域ごとに駆動周波数を変更してもよい。その場合は、複数の領域のそれぞれについてフリッカによる露光ムラが発生しているか否かを判定し、発生している場合には、その領域の駆動周波数をさらに変更する。
【００６４】
（第２の実施形態）
次に本発明の第２の実施形態について説明する。第２の実施形態は、表示の設定を変更する手段（表示設定手段）を有し、フリッカ検出時に分割領域の表示変更が可能な点が上述した第１の実施形態と異なる。なお、デジタルカメラのブロック構成に関しては、図１に示した第１の実施形態と同様であるため、説明を省略する。
【００６５】
図５は、第２の実施形態のデジタルカメラの動作を示すフローチャートである。なお、図５においては、図２で説明したステップと同様の処理内容のステップには同じステップ番号を付し、適宜説明を省略する。
【００６６】
まず、Ｓ２１６においてフリッカが検出されるとＳ５０１に進む。
【００６７】
Ｓ５０１では、システム制御回路１０８は、駆動周波数を変更した領域を表示部１１８に表示するか否かを判定する。一例として、図６を用いて説明する。
【００６８】
図６（ａ）は駆動周波数の変更領域を横ライン状に設定した場合を示し、図６（ｂ）は駆動周波数の変更領域を縦ライン状に設定した場合を示している。図６の様に小さな駆動周波数の変更領域が複数設けられている場合、感度を変更して表示部に表示すると、ノイズによって見栄えが悪くなってしまうので、このような場合は表示部に表示しない方がよい。
【００６９】
そこでＳ５０１では、システム制御回路１０８は、少なくとも１つの駆動周波数を変更した領域の面積が閾値以下か否かによって表示部１１８に表示するか否かを判定する。表示しないと判定されるとＳ５０２へ進み、オートフォーカス動作を行いＳ２２７へ進む。また、表示すると判定されるとＳ２２４へ進む。上記の面積を判定する閾値はＥＥＰＲＯＭ１２５に格納しておく。Ｓ２２４〜Ｓ２３０に関しては、図２の説明と同様であるため、説明を省略する。
【００７０】
以上説明したように、本実施形態では、フリッカが検出された場合でも、駆動周波数を変更した領域が小さい場合は、その領域の大きさによって表示を行うか否かを判定する。これにより、フリッカによる合焦精度の低下と表示部への表示画像の劣化を防ぐことが可能となる。
【００７１】
（他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【００７２】
発明は上記実施形態に制限されるものではなく、発明の精神及び範囲から離脱することなく、様々な変更及び変形が可能である。従って、発明の範囲を公にするために請求項を添付する。
【符号の説明】
【００７３】
１０８：システム制御回路、１１２：撮像素子、１１８：表示部、１２１：ＡＥ処理回路、１２２：ＡＦ処理回路、１２６：フリッカ検出回路
【図１】
2020145624.tif 000003
【図２】
2020145624.tif 000004
【図３】
2020145624.tif 000005
【図４】
2020145624.tif 000006
【図５】
2020145624.tif 000007
【図６】
2020145624.tif 000008